(57)【特許請求の範囲】
【請求項１】
浴槽の浴水を取り込み、浄化した後に浴槽に戻す浴水の循環経路を有する浴水浄化装置において、
前記浴水の循環経路から、必要に応じて適宜浴水を採取する装置と、
該採取した採取浴水を保持する測定タンクと、
該測定タンクに設けられ、該採取された採取浴水の塩素濃度を測定するセンサと、
該測定タンクに塩素を注入する手段と、
該測定タンクに注入されたタンク注入塩素量と前記センサにより測定された採取浴水塩素濃度に基づいて、浴水を所定塩素濃度にするために必要である前記浴水の循環経路から浴水に注入すべき塩素量を算出する装置と、
該算出された塩素量に基づいて、前記浴水の循環経路から浴水に塩素を注入する装置と、
を備えたことを特徴とする浴水浄化装置。
【請求項２】
前記算出する装置が、前記センサにより測定される採取浴水塩素濃度が目的とする塩素濃度になるまでのタンク注入塩素量に基づいて前記浴水の循環経路からの注入すべき塩素量を算出する、
請求項１に記載の浴水浄化装置。
【請求項３】
前記算出する装置が、前記タンク注入塩素量と共に増加する採取浴水塩素濃度の増加曲線が不連続になる点を検出し、該不連続点に到達するまでの採取浴水塩素注入量に基づいて前記浴水の循環経路から注入すべき塩素量を算出する、
請求項１に記載の浴水浄化装置。
【請求項４】
前記塩素を注入する装置により前記浴水の循環経路から浴水に塩素を注入して浴水の塩素濃度を検出し、該塩素注入量と該検出塩素濃度及び前記タンク注入塩素量と前記採取浴水塩素濃度に基づいて必要とする塩素量を算出するために浴水の総量を算出する手段を、更に備えた、
請求項１又は２又は３に記載の浴水浄化装置。
【請求項５】
前記浴水の循環経路から塩素を注入する装置が、所定時間内に注入すべき塩素量の全部又は一部を注入可能である、
請求項１又は２又は３又は４に記載の浴水浄化装置。
【発明の詳細な説明】
【０００１】
【発明の属する技術分野】
この発明は、浴水浄化装置に関する。
【０００２】
【従来の技術】
浴槽の浴水を循環させて取り込み、これを浄化し、場合によっては殺菌や加温などの処理を加えて、浴水に戻す浴水浄化装置が広く普及している。
浴水の浄化は、主としてろ過により行われているが、近年塩素殺菌を行うことも検討されている。
塩素殺菌を行う場合には、塩素の濃度管理が重要であり、塩素濃度が低いと殺菌効果が不十分であり、また塩素濃度が高いと人体に対して悪影響を与える問題がある。
そのため、浴水の塩素殺菌を行う場合には、従来は浴水中に塩素センサを設け、常に塩素濃度を監視し、塩素濃度が所定の範囲に入るように塩素注入を行っていた。
【０００３】
【発明が解決しようとする課題】
しかし、上記した従来の装置の場合、常に塩素センサを浴水中に置いておく必要があり、浴水の汚れなどから塩素センサを保護する構造などが必要である上、センサ部分に流す浴水の流量を制御する装置が必要であり、装置が高価で且つ複雑になる問題があった。
また、浴水中の塩素濃度は浴水の汚れに吸収されるため、注入量の調整が難しく、精度の高い塩素注入を行うのが難しい問題があった。
本発明は上記従来技術の問題を解決することを目的とする。
【０００４】
【課題を解決するための手段】
上記目的を達成するために、本発明は浴槽の浴水を取り込み、浄化した後に浴槽に戻す浴水の循環経路を有する浴水浄化装置において、前記浴水の循環経路から、必要に応じて適宜浴水を採取する装置と、該採取した採取浴水を保持する測定タンクと、該測定タンクに設けられ、該採取された採取浴水の塩素濃度を測定するセンサと、該測定タンクに塩素を注入する手段と、該測定タンクに注入されたタンク注入塩素量と前記センサにより測定された採取浴水塩素濃度に基づいて、浴水を所定塩素濃度にするために必要である前記浴水の循環経路から浴水に注入すべき塩素量を算出する装置と、該算出された塩素量に基づいて、前記浴水の循環経路から浴水に塩素を注入する装置と、を備えたことを特徴とする。上記構成では、必要なときに測定タンクに浴水を採取してセンサにより塩素濃度を測定するから、浴水の汚れに対するセンサの保護は従来の装置ほど必要とせず、またセンサ部に流す浴水の流量の制御など必要としないため、装置の簡単化と低コスト化を図れる。また、測定タンクにおいて実際に浴水に塩素を注入するから、必要とする塩素量を正確に知ることが可能である。そのため、精度の高い塩素注入を行える。
なお、必要とする塩素量を算出するにあたり、目的とする塩素濃度になるまでの塩素注入量に基づいて、必要塩素量を算出することも勿論可能であるが、塩素注入と共に増加する塩素濃度の増加曲線が不連続になる点を検出し、該不連続点に到達するまでの塩素注入量に基づいて注入すべき塩素量を算出する、ことも可能である。塩素注入の初期には、塩素は浴水の汚れと反応するため、塩素濃度の増加は小さいが、注入量が或る量を超えると塩素濃度の増加が大きくなる。この点が不連続点となるが、該不連続点以降の塩素濃度の増加は浴水の汚れと相関が少なく、主に浴水の量に依存するから、予測が可能である。従って、不連続点までの塩素注入量がわかれば、必要塩素量は算出可能である。
また、上記した測定タンクにおける塩素注入量から、浴水の総量を算出することも可能である。即ち、前記塩素を注入する装置により浴水に塩素を注入し、前記目的とする塩素濃度とするのに必要な総塩素注入量を検出し、該総塩素注入量と前記採取された浴水の量及びその塩素注入量とから、浴水の総量を算出することが可能である。
更に、前記塩素を注入する装置を、所定時間内に注入すべき塩素量の全部又は一部を注入可能であるように構成することも可能である。
【０００５】
【発明の実施の形態】
以下本発明の実施の形態を図面に基づいて説明する。
図１において、浴槽５０の浴水は、浴水浄化装置Ａの入水管５５から循環ポンプ５１を介してろ過タンク５２に導入され、ここでろ過され、ヒータ５３で所定温度まで加温されて出水管５６から浴槽５０に戻されるように構成されている。
【０００６】
ろ過タンク５２の上部に導入管１５を介して測定タンク１が接続されている。導入管１５には電磁弁１０が設けられており、この電磁弁１０の開閉により、必要なときにろ過タンク５２の浴水を採取して測定タンク１に導くことが出来るようになっている。１１はフィルタである。
【０００７】
測定タンク１には図１と図２に示すように、塩素注入器３からの塩素を注入するための測定注入管３１が設けられており、塩素注入器３から所定量の塩素注入が行われるようになっている。また塩素センサ２を備えており、測定タンク１に採取された浴水の遊離有効塩素を検出し、該検出信号を制御装置４に送るようになっている。
測定タンク１の下部には排出管１６が接続され、この排出管１６はろ過タンク５２とヒータ５３の間に接続されて、測定タンク１の浴水を循環路に戻すように構成されている。
【０００８】
塩素注入器３は３方向弁３０と前記した測定注入管３１及び浴水注入管３２を備えており、３方向弁３０を切り換えることにより塩素剤（次亜塩素酸ナトリウム等）を測定注入管３１又は浴水注入管３２に選択的に供給するように構成されている。
測定注入管３１は前記したように測定タンク１に接続されており、浴水注入管３２は前記出水管５６に接続され、浴水に塩素を注入するようになっている。
【０００９】
制御装置４は浴水浄化装置全体の制御を行っており、前記電磁弁１０、３方向弁３０及び塩素注入器３の制御を行っている。また塩素センサ２からの検出信号は、前記したように制御装置４に入力されるように構成されている。
【００１０】
以上の構成において、通常の運転時には浴水は浴槽５０から循環ポンプ５１、ろ過タンク５２、ヒータ５３を通って、浴槽５０に循環され、浴水の浄化を行う。
必要がある時に、電磁弁１０が開とされ、フィルタ１１を通って導入管１５から測定タンク１内に浴水が導入される。
【００１１】
該導入した浴水中の塩素量は塩素センサ２により検出され、制御装置４に送られる。これにより浴水の塩素量を検出できる。しかも、塩素センサ２は必要なときにだけ、浴水と接触するから、汚れ等からの保護をあまり必要としない。
単に塩素量の検出のみを行うときは、電磁弁１０を開のまま維持して、浴水を排出管１６から循環路に流しながら行うことが可能である。
【００１２】
測定タンク１に塩素注入を行う場合を図３により説明する。
測定タンク１に浴水を導入したら、３方向弁３０を切り換えて測定注入管３１を介して塩素を測定タンク１に注入しつつ、塩素センサ２により塩素濃度を逐次チェックする。
注入初期には塩素は浴水の汚れと反応するため、遊離有効塩素は所定時間Ｔ１の間はあまり増えない。所定時間後の或る点Ｐ１（以下不連続点Ｐ１とする）から、塩素濃度は増え始め、Ｔ２時間後に目的とする濃度（Ｐ２点）に達する。この時の塩素注入量Ｃ（Ｃ１＋Ｃ２）と測定タンク１に採取された浴水の量から、浴水単位当たりの必要塩素量が算出できる。該単位当たりの必要塩素量に浴水の総量を掛けてやれば、必要とする総塩素量を得ることができる。
【００１３】
なお、浴水の総量は浴槽５０の容積と浴水浄化装置Ａの容積とから算出することが可能である。
また、更に塩素を注入し、その時の塩素濃度を検出して、この塩素注入量と塩素濃度とから浴水の総量を計算することも可能である。
具体的には、例えば浴水注入管３２から浴水中に塩素を注入し、同時に電磁弁１０を開にしておき、浴水を測定タンク１にも循環するようにして、塩素濃度を逐次検出し、前記目的とする濃度に達したら注入を停止して、その時の塩素注入量Ｃ’を検出する。この塩素注入量Ｃ’と前記測定タンク１における塩素注入量Ｃ及び測定タンク１に採取された浴水の量とから、実際の浴水の総量を計算することができる。
【００１４】
前記実施形態では、図３において目的濃度となるまで塩素を注入したが、不連続点Ｐ１までの注入量Ｃ１から、塩素注入量Ｃを予測することが可能である。即ち、不連続点Ｐ１までの塩素注入量は浴水の汚れ具合により変化するが、Ｐ１点以降Ｐ２点までの必要塩素注入量Ｃ２は浴水の総量にほぼ比例することがわかっている。従って、不連続点Ｐ１までの必要塩素注入量Ｃ１がわかれば、目的濃度までの必要塩素注入量Ｃ（＝Ｃ１＋Ｃ２）は予測可能である。このように、不連続点までの塩素注入でよければ、測定時間を大幅に短縮でき、装置や作業の簡略化を図れる利点がある。
【００１５】
図４により動作を説明する。
電磁弁１０を開いて測定タンク１に浴水を採取し（ステップＳ１）、塩素注入器３から塩素を注入する（ステップＳ２）。塩素センサ２により塩素濃度を測定し（ステップＳ３）、所定濃度になったか否かチェックする（ステップＳ４）。所定の濃度は目的とする濃度又は図３に示す不連続点Ｐ１の濃度である。所定濃度になるまでの注入塩素量を検出し、該塩素量に基づいて、浴水に注入すべき総塩素量を計算する（ステップＳ５）。３方向弁３０を浴水注入管３２側に切り換え、この計算総塩素量を塩素注入器３から浴水浄化装置Ａの出水管５６に注入し（ステップＳ６）、所定時間経過後（ステップＳ７）、再び測定タンク１に新たな浴水を採取して塩素センサ２から塩素濃度のデータを得る（ステップＳ８）。この塩素濃度が目的濃度の許容範囲か否か判断し（ステップＳ９）、許容範囲ならば終了する。許容範囲外であれば、ステップ６における計算の係数変更を行い（ステップＳ１０）、濃度が低い場合には再度追加注入量を計算して追加注入を実施する、濃度が高い場合には塩素濃度を下げる処置を施すなどの処理を実行し（ステップＳ１１）、終了する。
【００１６】
なお、塩素注入器３から浴水浄化装置Ａへ塩素を注入するに際し、図３の不連続点Ｐ１までの塩素量Ｃ１を、或いはバラツキを堪案してその６０パーセント等所定量減量したものを短時間に一括して注入することも可能である。これにより注入時間の短縮化を図ることができる。
【００１７】
【発明の効果】
以上説明したように本発明の浴水浄化装置によれば、必要なときに測定タンクに浴水を採取してセンサにより塩素濃度を測定するから、浴水の汚れに対するセンサの保護は従来の装置ほど必要とせず、またセンサ部に流す浴水の流量の制御など必要としないため、装置の簡単化と低コスト化を図れる等の効果がある。また、測定タンクにおいて実際に浴水に塩素を注入する構成では、必要とする塩素量を正確に知ることが可能であり、精度の高い塩素注入を行える効果がある。
【図面の簡単な説明】
【図１】本発明の一実施形態を示す概略図。
【図２】本発明の一実施形態の測定タンク１の拡大図。
【図３】本発明の一実施形態の動作を示す説明図。
【図４】本発明の一実施形態の動作を示すフローチャート図。
【符号の説明】
１：測定タンク、２：塩素センサ、３：塩素注入器、４：制御装置、１０：電磁弁、１１：フィルタ、１５：導入管、１６：排出管、３０：３方向弁、３１：測定注入管、３２：浴水注入管、５０：浴槽、５１：循環ポンプ、５２：ろ過タンク、５３：ヒータ、５５：入水管、５６：出水管。
【図１】
0003973416.tif 000002
【図２】
0003973416.tif 000003
【図３】
0003973416.tif 000004
【図４】
0003973416.tif 000005